(57)【特許請求の範囲】
【請求項１】
それぞれ記録面を有する複数枚の構成ディスクを貼り合わせてなり、
各構成ディスクの情報エリアの内側の内周エリアに円周方向に沿って構成ディスク情報を表すパターンが記録され、
各構成ディスクの該パターンはそれぞれ半径方向における異なる位置に記録され、
貼合わせディスクの該パターンが記録された部分は少なくとも該パターンに照射され反射した光を認識できる程度の透明性を有し、
該パターンは円周方向に形成され半径方向に並ぶトラックの集合により形成され、
各構成ディスクの前記情報エリア及び前記パターンには反射膜が形成され、かつ、各構成ディスクの反射膜が前記パターンのうちの最も内側のパターンの位置まで形成されていることを特徴とする貼合わせディスク
【請求項２】
請求項１の貼合わせディスクにおいて、前記パターンがバーコードであることを特徴とする貼合わせディスク
【請求項３】
請求項１の貼合わせディスクにおいて、前記パターンが文字である貼合わせディスク
【請求項４】
それぞれ記録面を有する複数枚の構成ディスクを貼り合わせてなる貼合わせディスクの構成ディスクを確認するにあたって、貼合わせディスクは、
各構成ディスクの情報エリアの内側の内周エリアに円周方向に沿って構成ディスク情報を表すパターンを記録し、
各構成ディスクの該パターンはそれぞれ半径方向における異なる位置に記録し、
貼合わせディスクの該パターンを記録した部分は少なくとも該パターンに照射され反射した光を認識できる程度の透明性を有し、
該パターンは円周方向に形成され半径方向に並ぶトラックの集合により形成し、
各構成ディスクの前記情報エリア及び前記パターンには反射膜を形成すると共に、各構成ディスクの反射膜が前記パターンのうちの最も内側のパターンの位置まで形成したものであり、
当該貼合わせディスクに検査光を照射し、該パターンから反射される反射光を受光し、パターン認識手段により各構成ディスクを確認することを特徴とする貼合わせディスクの構成ディスク確認方法
【請求項５】
請求項４の貼合わせディスクの構成ディスク確認方法において、貼合わせディスクに記録しておくパターンがバーコードであり、パターン認識手段がバーコード認識手段であることを特徴とする貼合わせディスクの構成ディスク確認方法
【請求項６】
請求項４の貼合わせディスクの構成ディスク確認方法において、貼合わせディスクに記録しておくパターンが文字であり、パターン認識手段が文字認識手段であることを特徴とする貼合わせディスクの構成ディスク確認方法
【発明の詳細な説明】
【０００１】
【発明の属する技術分野】
本発明は、それぞれ記録面を有する複数枚の構成ディスクを貼り合わせてなる、複数の記録層を有する貼合わせディスクに関する。
【０００２】
【従来の技術】
近年、高密度記録媒体である光ディスクにおいては、それぞれ記録面を有する複数枚の構成ディスクを貼り合わせ複数の記録層を有する貼合わせディスクが登場し、ますます記録情報の高密度化が促進されている。このような貼合わせディスクの製造工場においては例えば１日に２０〜１００といった多数のロット数が製作されているから、その構成ディスクは４０〜２００種類程度あり、間違った構成ディスクを貼り合わせることがないように緻密な生産管理が要求されている。また、製造したディスクの構成ディスクに間違いがないかどうかは、各生産ロットからサンプルを抽出し、それを再生してみることで行われている。
【０００３】
【発明が解決しようとする課題】
本発明は、上記の現状に鑑み、製造した貼合わせディスクの構成ディスクが正しいものであるかどうか、簡単かつ容易に確認することができる貼合わせディスク及び貼合わせディスクの構成ディスク確認方法を提供するものである。
【０００４】
【課題を解決するための手段】
本発明は、それぞれ記録面を有する複数枚の構成ディスクを貼り合わせてなり、
各構成ディスクの情報エリアの内側の内周エリアに
円周方向に沿って構成ディスク情報を表すパターンが記録され、各構成ディスクの該パターンはそれぞれ半径方向における異なる位置に記録され、貼合わせディスクの該パターンが記録された部分は少なくとも該パターンに照射され反射した光を認識できる程度の透明性を有し、該パターンは円周方向に形成され半径方向に並ぶトラックの集合により形成され、各構成ディスクの前記情報エリア及び前記パターンには反射膜が形成され、かつ、各構成ディスクの反射膜が前記パターンのうちの最も内側のパターンの位置まで形成されていることを特徴とする貼合わせディスクである。
【０００５】
上記のパターンは、認識手段によりその内容を認識できるものであれば良く、代表的なものはバーコードと文字である。バーコードは周知のバーコード認識手段により容易に認識され、文字は周知の文字認識手段や人の目により容易に認識される。このような認識手段を用いることで、構成ディスクの内容を自動的に認識し、正しい構成ディスクが貼り合わされたものであるかどうかを確認することができる。
【０００６】
上記のパターンは、円周方向に形成され半径方向に並ぶトラックの集合により表示され、該トラックは例えば連続したピット（溝）とすることができる。このようなトラックの形成は、光ディスクの主情報の記録方式と同様であり、カッティングマシンにより、主情報をガラス基盤に記録する際に容易に記録することができる。
【０００７】
また、本発明は上記の貼合わせディスクの構成ディスク確認方法であって、貼合わせディスクに検査光を照射し、該パターンから反射される反射光を受光し、パターン認識手段により各構成ディスクを確認する方法である。
【０００７】
【発明の実施の形態】
以下、実施例を表す図面に基づいて本発明を詳細に説明する。図１は実施例の貼合わせディスク１の概略の説明図、図２はディスク１の平面図、図３はパターンであるバーコードの説明図、図４はバーコードを構成するトラックの説明図、図５はパターンである文字の説明図、図６は実施例の構成ディスク確認方法の説明図である。
【０００８】
本発明は複数枚の構成ディスクを貼り合わせた貼合わせディスクに関するが、図１に示す例は２枚の構成ディスクを貼り合わせた光ディスクである。ディスク１は構成ディスク２、３をその記録面を内側にして接着剤（接着剤層７）で貼り合わせたもので、各構成ディスク２、３の記録面は同心円状ないし渦巻状のトラック４が所定のピッチｔ（例えば１．２μｍ）で形成されている。トラック４はピットとピットのない部分であるランドの連続であり、このピットとランドの長さにより情報が記録されている。構成ディスク２、３の記録面には反射膜５、６が形成され、読み出し光を反射するが、少なくとも一方の反射膜（この場合は反射膜６）は半透明膜となっている。
【０００９】
図２に示すように、ディスク１は外周エリア１０、情報エリア１１、内周エリア１２、クランピングエリア１３、中心穴１４という構造を有する。外周エリア１０は情報の記録されていない部分、情報エリア１１は主情報がトラック４により記録されている部分、内周エリア１２は構成ディスク２、３の情報を表すパターン１５、１６が記録されている部分、クランピングエリア１３はディスクを再生するプレーヤがディスクを保持固定する部分、中心穴１４はプレーヤにディスクを保持固定するときにディスクを位置決めする部分である。
【００１０】
構成ディスク２の内周エリアにはパターン１５が、構成ディスク３の内周エリアにはパターン１６が記録されている。図２に示すように、パターン１５と１６とは、それぞれ半径方向における異なる位置（好ましくは半径方向に１ｍｍ以上はなれた位置）に記録されている。パターンはその構成ディスクがどのようなものであるかという情報（記録した内容の題名、識別番号、ロット番号など）を表すものである。この実施例の場合、パターン１５、１６共にバーコードである。図３はその中の１本のバーコード２０を拡大して示しているが、バーコード２０は円周方向に形成され半径方向に並ぶトラック２１の集合で形成されている。これらのトラック２１は、図４に示すように、
連続するピット（溝）により形成されている。図４は左側に上面図、右側に断面図を示している。
【００１１】
この実施例におけるパターンはバーコードであるが、これはバーコードに限るものではなく、各構成ディスクの内容を識別できるものであれば何でもよい。図５はパターンとして文字を用いた場合を示している。このような文字（英文字Ａ）３０も前記のバーコードと同様に円周方向に形成され半径方向に並ぶトラック３１の集合で形成されている。パターンを文字によって表した場合は目視によっても容易に構成ディスクの内容を認識することができる。
【００１２】
また、この実施例ではパターン１５、１６が円周上の一部にのみ記録されているが、全周にわたって記録されていても差し支えない。
【００１３】
次に、図６に基づいてディスク１の構成ディスク２、３を確認する方法を説明する。ディスク１は検査台４０に装着されて回転する。レーザー光源４１から発射された検査光（レーザー光）４４はパターン１５、１６に照射される。パターン１６に照射された検査光４４は反射膜６で反射され、反射光（０次光）４６が受光器４３に入射する。パターン１５に照射された検査光４４は半透明な反射膜６を通過し反射膜５で反射され、反射光（０次光）４５が半透明な反射膜６を通過し受光器４２に入射する。
【００１４】
受光器４２、４３で受けた光は電圧に変換されて図示しないバーコード認識手段ヘ送られて読み取られる。図示しない制御機構がバーコード認識手段で読み取られた内容と各構成ディスクの正規の内容とを比較し、良否を判定する。このようにすることで、ディスク１の構成ディスク２、３が正しいものかどうかを自動的に判定することができる。
【００１５】
パターンとして文字を用いた場合には、バーコード認識手段に代えて文字認識手段が用いられる。
【００１６】
この実施例は２枚の構成ディスクを貼り合わせたものであるが、３枚以上の構成ディスクを貼り合わせた場合でも、同様にして各構成ディスクにパターンを記録し、同様にしてそのパターンを読み取り、各構成ディスクが正しいものであるかどうかを判定することができる。
【００１７】
【発明の効果】
本発明によれば、貼合わせディスクの各構成ディスクが正しいものであるかどうかを容易かつ迅速に確認することができる。また、この確認を全自動化することも容易である。
【図面の簡単な説明】
【図１】実施例の貼合わせディスク１の概略の説明図である。
【図２】ディスク１の平面図である。
【図３】パターンであるバーコードの説明図である。
【図４】バーコードを構成するトラックの説明図である。
【図５】パターンである文字の説明図である。
【図６】実施例の構成ディスク確認方法の説明図である。
【符号の説明】
１  ディスク
２  構成ディスク
３  構成ディスク
４  トラック
５  反射膜
６  反射膜
７  接着剤層
１０  外周エリア
１１  情報エリア
１２  内周エリア
１３  クランピングエリア
１４  中心穴
１５  パターン
１６  パターン
２０  バーコード
２１  トラック
２２  ピット
２３  ランド
３０  文字
３１  トラック
４０  検査台
４１  レーザー光源
４２  受光器
４３  受光器
４４  検査光
４５  反射光
４６  反射光
【図１】
0003660506.tif 000002
【図２】
0003660506.tif 000003
【図３】
0003660506.tif 000004
【図４】
0003660506.tif 000005
【図５】
0003660506.tif 000006
【図６】
0003660506.tif 000007